(57)【特許請求の範囲】
【請求項１】
内部円周面及び外部円周面を有する多孔性セラミック加湿媒体と；
内部円周面及び外部円周面を有し、前記多孔性セラミック加湿媒体の内部に配置された除湿媒体と；
前記加湿媒体の内部円周面と前記除湿媒体の外部円周面との間に形成された遮断層と；を含み、
前記遮断層は無機バインダーで形成されたことを特徴とする多孔性セラミック構造体。
【請求項２】
前記多孔性セラミック加湿媒体の内径及び外径は１５ｃｍ〜２０ｃｍであることを特徴とする、請求項１に記載の多孔性セラミック構造体。
【請求項３】
前記除湿媒体の内径及び外径は４ｃｍ〜１５ｃｍであることを特徴とする、請求項１に記載の多孔性セラミック構造体。
【請求項４】
前記無機バインダーは、水、シリカゾル、クレイ及び酸化アルミニウム（Ａｌ２Ｏ３）を含むことを特徴とする、請求項１に記載の多孔性セラミック構造体。
【請求項５】
一つ以上の流入ポート及び排出ポートを有するハウジングと；
前記ハウジングの内部に配置され、内部円周面及び外部円周面を有する多孔性セラミック加湿媒体と、内部円周面及び外部円周面を有し、前記多孔性セラミック加湿媒体の内部に配置された除湿媒体と、前記加湿媒体の内部円周面と前記除湿媒体の外部円周面との間に形成された遮断層と、を含む多孔性セラミック構造体と；
前記除湿媒体を回転させる駆動部と；
前記除湿媒体を再生するための加熱装置と；
前記加湿媒体に水を供給する水槽部と；を含む除湿／加湿装置。
【請求項６】
前記加湿媒体の一部領域は水槽部に浸されていることを特徴とする、請求項５に記載の除湿／加湿装置。
【請求項７】
前記多孔性セラミック加湿媒体の内径及び外径は１５ｃｍ〜２０ｃｍであることを特徴とする、請求項５に記載の除湿／加湿装置。
【請求項８】
前記除湿媒体の内径及び外径は４ｃｍ〜１５ｃｍであることを特徴とする、請求項５に記載の除湿／加湿装置。
【請求項９】
前記遮断層は無機バインダーで形成されたことを特徴とする、請求項５に記載の除湿／加湿装置。
【請求項１０】
前記無機バインダーは、水、シリカゾル、クレイ及びアルミナ（Ａｌ２Ｏ３）を含むことを特徴とする、請求項９に記載の除湿／加湿装置。
【発明の詳細な説明】
【技術分野】
【０００１】
本発明は、多孔性セラミック構造体及びこれを含む除湿／加湿装置に関するものである。より具体的に、本発明は、加湿及び除湿容量を容易に増加させることができ、且つ流路を単純化することができ、コンパクトなデザインの具現が可能な多孔性セラミック構造体を含む除湿／加湿装置に関するものである。
【背景技術】
【０００２】
一般に、加湿装置は、送風機を用いて内部に乾燥した空気を吸入し、湿気の多い空気を排出する装置であって、乾燥した空気に水分を供給するために、加湿装置には水を蒸発又は気化させるための多様な手段が備えられる。
【０００３】
一例として、ほとんどの加湿装置に使用される超音波振動子は、水分子を励起させて数十マイクロサイズの粒子に変形させる。
【０００４】
しかし、このような超音波振動子を使用する場合は、外部に排出される水分粒子のサイズが大きいので遠く移動できなく、広い空間を均一な湿度に維持しにくいという問題があった。
【０００５】
また、超音波振動子が備えられた加湿装置においては、振動子及び送風機などを作動させなければならないので電気消耗量が多く、振動子を周期的に掃除しなければならない。そして、長期間の使用時、水槽内に異物などが堆積され、きれいでない成分まで放出されるおそれがあり、振動子の頻繁な故障によって加湿装置の寿命が短くなるという問題があった。
【０００６】
一般に、除湿装置は、外部空気を吸入させる外部空気送風機と、前記外部空気送風機を通して吸入された空気が通過し、前記空気中の水分が吸着される吸着部とを含む。そして、前記吸着部を通過しながら水分が除去された除湿空気を室内に送風させるための処理空気送風機を含む。
【０００７】
一方、除湿と加湿がいずれも可能な除湿／加湿装置が供給されているが、除湿ローターを使用する除湿／加湿装置の場合、ほとんどが除湿ローターとポリマー加湿媒体を別途に使用している。
【０００８】
このとき、加熱式除湿ローターの場合は、脱湿のために１００℃〜２００℃の温度の熱が直接ローターに加えられるので、ポリマーである加湿媒体とシステム的に分離しなければならない。したがって、コンパクトな製品のデザイン具現に限界があった。
【先行技術文献】
【特許文献】
【０００９】
【特許文献１】特開２００８−２４１１３１号公報
【発明の概要】
【発明が解決しようとする課題】
【００１０】
本発明は、前記のような問題を解決するためのもので、その目的は、加湿及び除湿容量を容易に増加させることができ、且つ流路を単純化することができ、コンパクトなデザインの具現が可能な多孔性セラミック構造体及びこれを含む除湿／加湿装置を提供することにある。
【課題を解決するための手段】
【００１１】
前記のような本発明の目的を達成するために、本発明の一側面によると、内部円周面及び外部円周面を有する多孔性セラミック加湿媒体と；内部円周面及び外部円周面を有し、前記多孔性セラミック加湿媒体の内部に配置された除湿媒体と；前記加湿媒体の内部円周面と前記除湿媒体の外部円周面との間に形成された遮断層と；を含み、前記遮断層は無機バインダーで形成されたことを特徴とする多孔性セラミック構造体が提供される。
【００１２】
本発明の他の側面によると、一つ以上の流入ポート及び排出ポートを有するハウジングと；前記ハウジングの内部に配置され、内部円周面及び外部円周面を有する多孔性セラミック加湿媒体と、内部円周面及び外部円周面を有し、前記多孔性セラミック加湿媒体の内部に配置された除湿媒体と、前記加湿媒体の内部円周面と前記除湿媒体の外部円周面との間に形成された遮断層とを含む多孔性セラミック構造体と；前記除湿媒体を回転させる駆動部と；前記除湿媒体を再生するための加熱装置と；前記加湿媒体に水を供給する水槽部と；を含む除湿／加湿装置が提供される。
【発明の効果】
【００１３】
以上説明したように、本発明に係る多孔性セラミック構造体及びこれを含む除湿／加湿装置は、加湿及び除湿容量を容易に増加させることができる。そして、流路を単純化することができ、コンパクトなデザインの具現が可能である。
【図面の簡単な説明】
【００１４】
【図１】本発明の一実施例に係る多孔性セラミック構造体の斜視図である。
【図２】本発明の一実施例に係る除湿／加湿装置の要部斜視図である。
【図３】本発明の一実施例に係る除湿／加湿装置の作動状態を示す概念図である。
【発明を実施するための形態】
【００１５】
以下、本発明の一実施例に係る多孔性セラミック構造体及びこれを含む除湿／加湿装置を添付の図面を参考にして詳細に説明する。添付の図面は、本発明の例示的な形態を示したもので、これは、本発明をより詳細に説明するために提供されるものに過ぎなく、これによって本発明の技術的な範囲が限定されることはない。
【００１６】
図１は、本発明の一実施例に係る多孔性セラミック構造体１０の斜視図である。
【００１７】
本発明は、多孔性セラミック構造体１０に関するものである。具体的に、本発明は、内部円周面及び外部円周面を有する多孔性セラミック加湿媒体１１と、内部円周面及び外部円周面を有し、前記多孔性セラミック加湿媒体の内部に配置された除湿媒体１５と、前記加湿媒体１１の内部円周面と前記除湿媒体の外部円周面との間に形成された遮断層１４とを含む多孔性セラミック構造体１０に関するものである。
【００１８】
多孔性セラミック加湿媒体１１
以下、本発明の一実施例に係る加湿装置を構成する多孔性セラミック加湿媒体１１について詳細に説明する。
【００１９】
多孔性セラミック加湿媒体１１は、セラミック板状ペーパー１２と、前記セラミック板状ペーパー１２に付着されたセラミック波状ペーパー１３とを含み、ハニカム構造を有する多孔性セラミックペーパーであってもよい。
【００２０】
本実施例では、セラミックペーパーを使用して多孔性セラミック加湿媒体を製造することによって、高い生産性による大量生産及び気孔特性（例えば、気孔の大きさ及び気孔率など）を容易に制御できるなどの利点がある。前記セラミック板状及び波状ペーパー（以下、「セラミックペーパー」と総称する場合がある。）は、セラミック繊維を使用して製造することができる。
【００２１】
本実施例で、セラミックペーパーの製造に使用されるセラミックファイバーは、一般に１マイクロン〜２０マイクロンの直径を有するが、その平均長さは０.１ｍｍ〜１０ｍｍであることが望ましい。前記長さが０.１ｍｍ未満であると、セラミックペーパーの強度が低下するおそれがあり、前記長さが１０ｍｍを超えると、原料であるスラリー内で繊維を均一に分散させることが難しくなり、ペーパーの不均一化をもたらすおそれがある。
【００２２】
本実施例で使用されるセラミックファイバーは、アルミニウム及び／又はケイ素を含む素材である。具体的に、セラミックファイバーとしては、シリカ、アルミナ、シリカ―アルミナ、アルミノシリケート、アルミノボロシリケート、ムライト及びガラス繊維からなる群から選択された一つ以上を挙げることができるが、これに制限されることはない。
【００２３】
また、本発明のセラミックペーパーは、前記セラミックファイバー１００重量部に対して、０.１重量部〜１００重量部の有機繊維をさらに含むことができる。本発明で使用可能な有機繊維の例としては、針葉樹パルプ、ウッド繊維又はヘンプなどの天然繊維、及びナイロン、レイヨン、ポリエステル、ポリプロピレン、ポリエチレン、アラミド又はアクリルなどの合成繊維を挙げることができ、これらのうち一種又は二種以上の混合を使用することができる。
【００２４】
前記のような有機繊維は、セラミックファイバー１００重量部に対して０.１重量部〜１００重量部の量で含まれることが望ましい。前記含量が０.１重量部未満であると、セラミックペーパーの引張強度の維持が難しいので、製造過程で波状化が困難になるおそれがあり、前記含量が１００重量部を超えると、セラミック加湿媒体の気孔率が過度に増加し、強度が低下するおそれがある。
【００２５】
また、本発明のセラミックペーパーは、上述したセラミック繊維及び有機繊維と共に、１.０重量部〜５０重量部のバインダーをさらに含むことができる。本発明では、バインダーとして、有機バインダーを使用することが望ましく、例えば、エポキシ系バインダー、ナトリウムカルボキシメチルセルロース
（ＣＭＣ）、ポリアクリルアミド（ＰＡＭ）、ポリエチレンオキサイド（ＰＥＯ）、メチルセルロース、ヒドロキシエチルセルロース、精製澱粉、デキストリン、ポリビニルアルコール、ポリビニルブチラール、ポリメチル（メタ）アクリレート、ポリエチレングリコール、パラフィン、ワックスエマルジョン及び微結晶ワックス（ｍｉｃｒｏｃｒｙｓｔａｌｌｉｎｅ ｗａｘ）のうち一種又は二種以上の混合を挙げることができる。
【００２６】
このようなバインダーは、セラミックファイバー１００重量部に対して１.０重量部〜５０重量部の量でセラミックペーパー内に含まれることが望ましい。前記含量が１.０重量部未満であると、繊維間の結合力が低下するおそれがある。そして、前記含量が５０重量部を超えると、セラミックペーパーの流動性及び接着性が増加することから作業性が低下し、セラミック加湿媒体の強度が低下するおそれがある。
【００２７】
本実施例で、多孔質セラミック加湿媒体は、前記セラミックファイバー上に形成され、ケイ素、アルミニウム及びジルコニウムからなる群から選択された一つ以上の成分を含む１次コーティング層を含むことができる。
【００２８】
多孔性セラミック加湿媒体は、前記１次コーティング層の表面に形成された２次コーティング層をさらに含むことができ、２次コーティング層は、セラミックファイバー間の結合を維持する無機バインダーの役割をする。
【００２９】
前記１次コーティング層は、セラミックペーパーと２次コーティング層との間でバッファー層又はプリマー層の役割をし、より具体的には、セラミックファイバーを保護する役割及び２次コーティング層との付着力を強化する役割を同時に行う。
【００３０】
前記１次コーティング層を構成する成分は、ケイ素、アルミニウム及びジルコニウムからなる群から選択された一つ以上を含有し、より具体的には、シリカ、シラン、シロキサン、アルミナ、ジルコニア、アルミニウムシリケート、ゾルゲル工程によって硬化され、セラミックペーパーの湿潤強度を強化できる化合物及び硬化性ポリマーからなる群から選択された一つ以上を含むことができる。
【００３１】
本実施例では、２次コーティング層を構成する成分（例えば、リン酸アルミニウムなど）との親和力に優れるという観点で、１次コーティング層がシリカ又はアルミニウムシリケートを含むことがより望ましいが、これに制限されることはない。
【００３２】
前記２次コーティング層は、アルミニウム成分及びリン成分を含む。このとき、前記２次コーティング層に含まれるリン及びアルミニウムの原子比（Ｐ／Ａｌ）は３〜５０であることが望ましい。
【００３３】
前記原子比が３未満であると、コーティング層が円滑に形成されないおそれがあり、前記原子比が５０を超えると、繊維表面の損傷によって強度が低下するおそれがある。特別に限定されることはないが、前記２次コーティング層は、リン酸アルミニウムを含むことが望ましく、Ａｌ（ＰＯ３）３（ａｌｕｍｉｎｕｍ  ｍｅｔａｐｈｏｓｐｈａｔｅ）及びＡｌＰＯ４（ａｌｕｍｉｎｕｍ  ｏｒｔｈｏｐｈｏｓｐｈａｔｅ）の二つの相が混在状態で存在することがより望ましい。
【００３４】
他の２次コーティング層の成分としては、アルミニウム成分のみを含むこともできる。すなわち、固形分が５〜３０％であるアルミナゾルを適正量だけコーティングし、１００℃で充分乾燥した後、９００〜１２００℃で熱処理する。これによって、ファイバーの表面とファイバー間の結合部位に形成されたシリカコーティング膜上に再びアルミナコーティング膜が形成されることによって、ファイバーの機械的強度が形成されることはもちろん、ファイバー間の結合力も向上する。何よりも、化学的に安定したアルミナコーティング膜がファイバーの表面に形成されることによって、酸又は塩基性水溶液に耐腐食性が与えられるという長所がある。
【００３５】
後述するように、本発明では、前記１次及び２次コーティング層の形成時に無機バインダー前駆体溶液を使用することによって、多孔質のセラミック成形体（セラミックペーパー）の毛細管効果を用いた均一なコーティングが可能である。これによって、不均一な塗布による気孔制御の難しさを解決することができる。また、反応性に優れたバインダー前駆体をセラミック繊維と化学的に結合することによって繊維間の結合力を向上させ、加湿媒体に優れた機械的強度を与えることができる。
【００３６】
また、前記１次及び／又は２次コーティング層は、繊維間の結合力の追加的な改善の観点で、マグネシウム、カルシウム及びホウ素含有化合物のうち一種又は二種以上をさらに含むことができる。前記成分は、コーティング層に含まれているアルミニウムイオンなどを部分的に置換させ、無機バインダーの結合力を増加させ、高温での熱的安定性を改善する役割をする。
【００３７】
本発明で使用可能なホウ素含有化合物の例としては、特別に限定されないが、ホウ酸を挙げることができる。前記のような各成分は、１次又は２次コーティング層を構成する成分１００重量部に対して０.１重量部〜１０重量部の量で含まれることが望ましいが、これに制限されることはない。
【００３８】
また、前記各コーティング層は、セラミック加湿媒体の機械的強度の改善、気孔特性の制御を目的にし、粘土、アルミナ、ゼオライト、シリカ、ジルコニア及び／又はチタニアなどの酸化物セラミック粉末粒子を適正量だけさらに含むことができる。前記のような酸化物セラミック粉末粒子の含浸段階では、セラミックペーパーの製造段階、すなわち、１次コーティング又は２次コーティング工程中にコーティング液に一定量のセラミック粉末粒子を分散させた後、コーティング液と同時に含浸させることができる。
【００３９】
また、多孔性セラミック加湿媒体１１は、内部円周面及び外部円周面を有する中空のチューブ状を有することができ、このとき、内径及び外径は１５ｃｍ〜２０ｃｍであってもよい。多孔性セラミック加湿媒体１１の内径が前記数値より大きい場合、加湿量低下の問題が発生するおそれがある。
【００４０】
以下、このような構造を有する多孔性セラミック加湿媒体の製造過程を説明する。
【００４１】
アルミノシリケート又はムライトなどのセラミックファイバー、パルプ及び有機バインダーなどを混合してセラミック板状ペーパーを製造する。
【００４２】
このとき、前記セラミック板状ペーパーを波状化してセラミック波状ペーパーを製造し、前記セラミック板状ペーパー上にセラミック波状ペーパーを付着して多孔性セラミックペーパーを製造する。
【００４３】
そして、このような多孔性セラミックペーパーをロール状に巻き取り、セラミックハニカムを製造する。このとき、セラミックハニカムの直径の大きさは、加湿装置の大きさに合わせて調節することができる。
【００４４】
このように製造されたセラミックハニカムをシリカゾル（固形分２５重量部）に１次的にディップコーティングし、１００℃〜２００℃の温度で１時間〜２時間乾燥した後、５００℃〜１０００℃の温度で熱処理して１次工程を行う。その後、アルミナフォスフェート溶液に２次的にディップコーティングし、１００℃〜３００℃の温度で１時間〜２時間乾燥した後、６００℃〜１０００℃の温度で熱処理し、多孔性セラミック加湿媒体を製造する。
【００４５】
一方、加湿媒体として応用するための多孔性セラミック加湿媒体の水吸収及び水分伝達速度は、気孔の大きさ、気孔分布、全体の気孔率と密接な関係を有する。
【００４６】
すなわち、水吸収とセラミック加湿媒体の上部までの水分伝達を円滑に行うために、多孔性セラミック加湿媒体１１の気孔の大きさは、全体の気孔の９５％以上が１０μｍ〜２００μｍでなければならなく、２０μｍ〜１５０μｍ以下であることが望ましく、３０μｍ〜１００μｍであることがより望ましい。
【００４７】
気孔の大きさが１０μｍ未満である気孔が多い場合は、水吸収が水接触部分のみで行われ、上部まで水分が迅速に伝達されないので、加湿能力が低下するという短所がある。そして、気孔の大きさが２００μｍを超える気孔が多い場合は、多孔性セラミック加湿媒体の全体的な強度が低下し、作業性に悪い影響を及ぼす。
【００４８】
また、全体的な気孔率は４０％〜８０％でなければならなく、５０％〜７５％であることが望ましく、６０％〜７０％であることが適当である。
【００４９】
全体的な気孔率が４０％未満である場合、水吸収及び水分伝達がきちんと行われず、加湿媒体としての機能を発揮することができなく、全体的な気孔率が８０％を超える場合は、セラミック加湿媒体の全体的な強度が低下し、作業性に悪い影響を及ぼすようになる。
【００５０】
一方、本実施例で、多孔性セラミック加湿媒体は、コーディエライト、炭化ケイ素、窒化ケイ素及びアルミニウムチタネートからなる群から選択された一つ以上を含むことができる。
【００５１】
多孔質セラミック加湿媒体は、前記コーディエライト、炭化ケイ素、窒化ケイ素及びアルミニウムチタネートなどの粉末に無機バインダー、有機バインダー、造孔剤、潤滑剤及び水などを混合した後、押出方式で製造する。
【００５２】
このように製造された多孔質セラミック加湿媒体は、その気孔の大きさが約１０μｍ〜２５μｍである狭い範囲に約９９％の気孔が分布しており、全体的な気孔率は４０％〜４５％の水準を示す。
【００５３】
セラミックペーパーを使用したセラミック加湿媒体の場合、気孔の大きさは、１０μｍから２００μｍまで多様に分布する。全体の気孔のほとんどの大きさが３０μｍ以上であって、ほとんどの気孔率も６０％以上であるので、水吸収及び水分伝達速度が速い。その一方、セラミック粉末を用いた押出方式のセラミック加湿媒体の場合、水吸収及び水分伝達速度がやや遅いという短所がある。
【００５４】
一方、本発明に係る加湿装置を構成する多孔性セラミック加湿媒体は、抗菌コーティング層をさらに含むことができる。加湿装置を長時間使用すると、セラミック加湿媒体に水苔又は多様な異物が沈積するようになるが、これによって発生する有害な異物が加湿動作中に外部に排出されることを抑制するために、多孔性セラミック加湿媒体の製造段階、例えば、１次コーティング又は２次コーティング後に銀ナノ又は二酸化チタン（ＴｉＯ２）などの光触媒をコーティングすることもできる。
【００５５】
多孔性セラミック加湿媒体は、微細構造上、非常に多孔質であり、その結果、比表面積が広いので、抗菌コーティングを直ぐ適用するのに有利な担持特性を有している。
【００５６】
遮断層１４
本発明の一実施例に係る多孔性セラミック構造体を構成する遮断層１４は、上述した多孔性セラミック加湿媒体１１と後述する除湿媒体との間に形成され、除湿作動と加湿作動との間の干渉を防止する役割をする。
【００５７】
このような遮断層１４は、これに制限されないが、例えば、金属を用いて形成することができ、固形分の高い無機バインダーを用いて形成することができる。
【００５８】
ここで、無機バインダーは、水、シリカゾル、クレイ及びアルミナ（Ａｌ２Ｏ３）を含むことができる。
【００５９】
一例として、無機バインダーは、水８０ｇ、シリカゾル５ｇ〜１５ｇ、クレイ１０ｇ〜２０ｇ及びアルミナ（Ａｌ２Ｏ３）１５ｇ〜３０ｇを添加して撹拌した後、ペースト状に製造することができる。
【００６０】
多孔性セラミック構造体の製造方法を説明すると、製造された無機バインダーを上述した多孔性セラミック加湿媒体１１の内部円周面に塗布する。その後、多孔性セラミック加湿媒体の内部に除湿媒体１５を付着し、これを６０℃〜１００℃の温度で乾燥させる。乾燥後、３００℃〜５００℃の温度で熱処理して無機バインダーを硬化させ、多孔性セラミック構造体を製造する。
【００６１】
除湿媒体１５
除湿媒体１５は、多孔性セラミック加湿媒体で説明したセラミック板状ペーパー及びセラミック波状ペーパーを含み、重複する部分についての説明は省略する。
【００６２】
具体的には、アルミノシリケート又はムライトなどのセラミックファイバー、パルプ及び有機バインダーなどを混合してセラミック板状ペーパーを製造する。
【００６３】
このとき、前記セラミック板状ペーパーを波状化してセラミック波状ペーパーを製造し、前記セラミック板状ペーパー上にセラミック波状ペーパーを付着して多孔性セラミックペーパーを製造する。
【００６４】
このような多孔性セラミックペーパーをロール状に巻き取り、セラミックハニカムを製造する。このとき、セラミックハニカムの直径の大きさは、加湿装置の大きさに合わせて調節することができる。
【００６５】
このように製造されたセラミックハニカムをゼオライト４２重量部、ポリビニルアルコール（ＰＶＡ：ｐｏｌｙｖｉｎｙｌａｌｃｈｏｌ）０.５重量部、アクリルバインダー４.５重量部及び水５３重量部で製造されたスラリーにディップコーティングする。その後、１００℃〜１５０℃の温度で１時間〜２時間乾燥した後、４００℃〜６００℃の温度で熱処理して除湿媒体を製造する。
【００６６】
また、除湿媒体１５は、内部円周面及び外部円周面を有する中空のチューブ状を有することができ、このとき、内径及び外径は４ｃｍ〜１５ｃｍであってもよい。除湿媒体１５の内径は、回転部の機械的装置の大きさによってより小さくなることもあり、外径の前記数値は必要な除湿量によってより大きくなることもある。
【００６７】
このように構成された多孔性セラミック構造体は、加湿及び除湿機能を行うことができ、コンパクトなデザインを具現することができる。
【００６８】
除湿／加湿装置
図２は、本発明の一実施例に係る除湿／加湿装置の要部斜視図で、図３は、本発明の一実施例に係る除湿／加湿装置の作動状態を示す概念図である。
【００６９】
本発明の一実施例に係る除湿／加湿装置１００は、一つ以上の流入ポート１０２及び排出ポート（図示せず）を有するハウジング１０１と；前記ハウジング１０１の内部に配置され、内部円周面及び外部円周面を有する多孔性セラミック加湿媒体１１１と、内部円周面及び外部円周面を有し、前記多孔性セラミック加湿媒体１１１の内部に配置された除湿媒体１１５と、前記加湿媒体１１１の内部円周面と前記除湿媒体１１５の外部円周面との間に形成された遮断層１１４とを含む多孔性セラミック構造体１１０と；を含む。
【００７０】
このとき、多孔性セラミック構造体１１０は、図１を参照して説明した多孔性セラミック構造体１０と同一であるので、これについての具体的な説明は省略する。
【００７１】
また、除湿／加湿装置１００は、前記除湿媒体１１５を回転させる駆動部１３０と、前記除湿媒体１１５を再生するための加熱装置１２０と、前記加湿媒体１１１に水を供給する水槽部１４０とを含む。
【００７２】
このとき、前記駆動部１３０は、モーターと、前記モーターに装着された駆動軸とを含むことができ、前記駆動軸の一終端に前記多孔性セラミック構造体１１０の除湿媒体１１５の内部円周面が装着され、モーター回転時に多孔性セラミック構造体１１０が駆動軸と共に回転するようになる。
【００７３】
前記水槽部１４０としては、通常の水タンクなどを使用することができ、多孔性セラミック構造体１１０は、前記水供給部１３０から水分を受けて貯蔵できるように、一部領域が前記水槽部１４０に浸されるように配置することができる。このとき、多孔性セラミック加湿媒体１１１領域のみが水槽部に浸されることが望ましい。
【００７４】
また、本発明の一実施例に係る除湿／加湿装置１００は、外部の空気をハウジング１０１の内部に吸入し、前記多孔性セラミック構造体１１０に向けて送風するファン（図示せず）をさらに含むことができる。前記ファンは、ハウジング１０１の流入ポート側に装着することができる。
【００７５】
本発明の一実施例に係る除湿／加湿装置を構成するハウジング１０１は、複数の流入ポート及び排出ポートを有する。
【００７６】
例えば、除湿媒体１１５を通過する空気を流入させる流入ポートと、加湿媒体１１１を通過する空気を流入させる流入ポートとを分離して構成することができる。そして、除湿媒体１１５を通過させる過程でも、再生のための流入ポート１０２と除湿のための流入ポートとを分離して構成することができる。
【００７７】
除湿媒体１１５内に吸着された水分を吸収するために、再生のための空気の流入ポート１０２には加熱装置１２０が装着される。
【００７８】
このとき、加熱装置１２０は、通常のヒーター又は熱線であってもよい。
【００７９】
本発明の一実施例に係る除湿／加湿装置１００は、外部から吸入される空気を浄化するエアフィルタをさらに含むことができ、前記エアフィルタは、ハウジングの排出ポート（図示せず）側又は流入ポート側に装着することができる。
【００８０】
ここで、エアフィルタは、多様なフィルタ、例えば、通常の埃除去フィルタ、有害ガス（ホルムアルデヒド又はＶＯＣガス）吸着フィルタ、又は抗菌フィルタであってもよい。
【００８１】
また、前記エアフィルタの内部には、アロマ香又はピトンチド香のように人体に有益であり、かつ多様な香りを発生させる充填材を充填することもできる。
【００８２】
本発明の一実施例に係る除湿／加湿装置１００は、前記駆動部１３０と電気的に連結され、前記駆動部の回転方向及び回転速度を調節する制御部（図示せず）をさらに含むことができ、前記制御部と電気的に連結され、室内空気の湿度を測定する湿度センサー（図示せず）をさらに含むことができる。
【００８３】
このように構成された除湿／加湿装置１００での加湿過程を添付の図面を参照して説明する。
【００８４】
図３を参照すると、本発明の一実施例に係る除湿／加湿装置１００を構成する多孔性セラミック構造体１１０は、水槽部１４０に一部領域が浸されるように配置される。したがって、多孔性セラミック構造体１１０は、高い気孔率と毛細管圧力により、その内部に多量の水分を含有するようになる。
【００８５】
このとき、前記多孔性セラミック構造体１１０の気孔は、その大きさが数十マイクロメートル〜数百マイクロメートルに形成されて非常に微細であり、気孔率は、多孔性セラミック構造体１１０の体積の４０％〜８０％に該当するほどに非常に高い。
【００８６】
本発明の一実施例に係る除湿／加湿装置１００は、前記多孔性セラミック加湿媒体１１１での自然蒸発原理を使用することができる。
【００８７】
多孔性セラミック加湿媒体１１１は、上述したように微細気孔を含んでおり、その高い気孔率によって多量の水を含有することができる。
【００８８】
このとき、多孔性セラミック加湿媒体１１１は、ハニカムの形状を有していることから大気との接触面積が大きいだけでなく、前記各微細気孔の比表面積が非常に大きいので、大気との接触面積が増加するようになる。
【００８９】
すなわち、多孔性セラミック加湿媒体１１１は、微細気孔及びハニカム形状によって大気との接触面積が大きくなり、自然に蒸発が円滑に行われるので、多孔性セラミック加湿媒体１１１を通過する空気に水分を供給できるようになる。
【００９０】
一方、外部の空気がハウジング１０１の内部に吸入され、吸入された空気は、ファンなどを通して多孔性セラミック加湿媒体１１１に向けて送風される。
【００９１】
このとき、多孔性セラミック加湿媒体１１１を通過した空気は、微細な粒子状態の水分を含有するようになり、ハウジング１０１の排出ポート（図示せず）を通して外部に排出される。
【００９２】
一方、多孔性セラミック加湿媒体１１１は駆動部１３０によって回転することができ、多孔性セラミック加湿媒体１１１を回転させることによって内部に水分が均一に分布するようになり、回転を通して最初に巻かれていた多孔性セラミック加湿媒体１１１の一部領域のみならず、残りの領域も水に浸されるようになり、水分吸収量を増加させることができる。
【００９３】
ここで、多孔性セラミック加湿媒体１１１は、中空の円筒体であってもよく、水槽部に水を入れた状態でヒーターを中止させると、毛細管現象によって加湿媒体に水が吸収される。このとき、加湿媒体を通った乾燥した空気は湿気を含有するようになり、加湿含有量が増加する。加湿量の増大のために、多孔性セラミック加湿媒体１１１を回転させることもできる。
【００９４】
水槽部の水を除去した状態でヒーターを作動させると、内部に存在する除湿ローターの機能が発現し、空気の湿気が除湿剤に吸着され、ローターの回転と共にヒーターによって脱湿される。そして、この脱湿された空気は、自然に冷却されて別途の水槽部に溜まるようになる。
【００９５】
以上説明した本発明の好適な実施例は、例示の目的のために開示したものである。本発明に対する通常の知識を有する当業者であれば、本発明の思想と範囲内で多様な修正、変更及び付加が可能であり、このような修正、変更及び付加は下記の特許請求の範囲に属するものと見なすべきである。
【符号の説明】
【００９６】
１０、１１０：多孔性セラミック構造体
１１、１１１：多孔性セラミック加湿媒体
１４、１１４：遮断層
１５、１１５：除湿媒体
１００：除湿／加湿装置
１０１：ハウジング
１０２：流入ポート
１２０：加熱装置
１３０：駆動部
１４０：水槽部
【図１】
0005325338.tif 000002
【図２】
0005325338.tif 000003
【図３】
0005325338.tif 000004